(57)【要約】      （修正有）【課題】口腔内に残った歯垢や食物残を染色させ、口腔内の清潔状態確認や歯磨き後の磨き残しの確認、歯磨き前の磨き場所の表示などに使用することができる方法や歯垢染色材を提供する。【解決手段】糖アルコールと染色成分よりなる飴、ガム、タブレット、グミ、ゼラチン菓子、砂糖菓子の歯垢染色剤を口腔内に保持し、口腔内を観察し、口腔内に残った歯垢や食物残を染色させ、口腔内の清潔状態を確認する。【選択図】なし【特許請求の範囲】
【請求項１】
歯垢を染色する方法に用いる歯垢染色材において、
歯垢染色材を口腔内に入れる工程、
歯垢染色材を口腔内で保持する工程、
歯垢染色材を飲み込む工程、
口腔内を観察する工程
を含む歯垢染色方法に用いる歯垢染色材。
【請求項２】
糖アルコールと染色成分を含むことを特徴とする歯垢染色材。
【請求項３】
飴、ガム、タブレット、グミ、ゼラチン菓子、砂糖菓子である請求項２記載の歯垢染色材。
【発明の詳細な説明】
【技術分野】
【０００１】  本発明は口腔内の状態を確認する為の方法及びその食品や材料に関する。
特に口腔内に残った歯垢や食物残を染色させ、口腔内の清潔状態確認や歯磨き後の磨き残しの確認、歯磨き前の磨き場所の表示などに使用することができる方法や歯垢染色材に関する。
【背景技術】
【０００２】  従来、歯垢付着状態を確認する方法としては、歯垢歯石染色液、歯垢染色タブレット、歯垢染色ペースト、歯垢染色材料などが使用されている。
歯垢歯石染色液は、染色液を特殊スポンジに適量しみこませてあり、歯垢や歯石を染色する。歯質に対する親和性が高いため、複雑な歯面に塗布した場合も均等に拡散される。
しかし、染め出し液を口腔外から口腔内に運ばないといけない為に、口腔外の頬や顎、唇を染めてしまうことや、床や洗面所などを汚してしまうことがあった。また、歯垢や歯石のたまり易いところに要領よく、塗布しなければならないため、高度な技術が必要であった。【０００３】  歯垢歯石染色液の一製品である「ハミガキ上手ＰＲＯ（松風社製）」は歯垢のチェックと歯磨きが同時におこなえる歯科医院専用の歯垢染色液体歯磨きである。歯磨き成分の中に、みがき残し（歯垢）を赤く染色する成分を配合しており、どこにみがき残しがあるか目で見ながら、子どもがひとりでみがき残さずに歯磨きができる。
しかし、染色後口腔外に染め出し液を吐き出さなければならず、口腔外の頬や顎、唇を染めてしまうことや、床や洗面所などを汚してしまうことがあった。【０００４】  歯垢染色ペーストは、ゼリー状で歯ブラシに付けてブラッシングするだけで、手軽にプラークのチェックができる製品である。特に集団指導時には、術者の手間が省け効率的である。
歯垢染色ペーストの一製品である「デントクラブ歯垢染色ジェル（発売元ヘルステック）」は、歯の汚れを赤く染めて、みがき残しをチェックできる歯磨きチェック剤である。歯ブラシにジェルをつけて、歯の表面全体を磨くように塗り、水ですすぐ。みがき残した歯垢の残っている部分が赤く染め出される。歯のすみずみまで、家庭で簡単に磨き残しのチェックができる。
他製品同様に染色後口腔外に染め出し液を吐き出さなければならず、口腔外の頬や顎、唇を染めてしまうことや、床や洗面所などを汚してしまうことがあった。【０００５】  歯垢染色錠剤の使い方は、錠剤を１錠口の中に入れて、奥歯で噛み砕き、唾液に溶かした上で、舌を使って歯面全体に行きわたらせる様にする。軽く口をすすぎ、歯垢の付着部分が赤紫色に染まっているのを確認し、赤紫色に染まった部分を歯磨きで磨くものである。
しかし、噛み方が不足すると、口腔中にそのままの形で残るので、染め出しが不十分になることがある。また、途中で唾液を吐き出すと、歯面全体に行きわたらせることができないことがある。
また、従来の歯垢染色製品は味が悪く、どの製品も口腔内での染色も苦痛をともなうものであった。【０００６】
【非特許文献１】トレース２８（ヘレウスデンタルマテリアル社製）の使用説明書
【非特許文献２】レッドコート（バトラー社製）の使用説明書
【非特許文献３】デントプラークテスター錠（ライオン社製）の使用説明書
【非特許文献４】カラーテスター（サンスター社製）の使用説明書
【発明の開示】
【発明が解決しようとする課題】
【０００７】  歯垢染色材であって、染色後口腔外に染め出し液を吐き出すことが無く、口腔外の頬や顎、唇を染めてしまうことや、床や洗面所などを汚してしまうことがないものが求められていた。更に、味が良い物が求められていた。
従来の歯垢染色製品を幼児等に用いると、誤飲を起こす危険性があり、使用することが難しかった。また、味が悪い為に歯垢等が十分に染まること無く、口腔外に吐き出すことがあり、十分な効果がえられないことがあった。突然の歯垢染色製品の吐き出しなどにより、洋服などを汚すことが多かった。
吐き出しや口腔内を水ですすぐ場合などに、染色液が飛び散ることが多かった。
【課題を解決するための手段】
【０００８】  本発明は、歯垢を染色する方法において、染色成分を含む歯垢染色材を用い、歯垢染色材を口腔内に入れる工程、歯垢染色材を口腔内で保持する工程、歯垢染色材を飲み込む工程、口腔内を観察する工程を含む歯垢染色方法である。【０００９】  本発明は歯垢を染色する方法において、染色成分を含む歯垢染色材を用い、歯垢染色材を口腔内に入れる工程、歯垢染色材を口腔内で保持する工程、歯垢染色材を飲み込む工程、口腔内を観察する工程、口腔内を歯刷子で磨く工程、を含む歯垢染色方法である。【００１０】  本発明は、歯垢染色材が飴、ガム、タブレット、グミ、ゼラチン菓子、砂糖菓子である歯垢染色方法である。
本発明は、糖アルコールと染色成分を含むことを特徴とする歯垢染色材である。
本発明は、飴、ガム、タブレット、グミ、ゼラチン菓子、砂糖菓子である歯垢染色材である。【００１１】本発明は、歯垢を染色する方法に用いる歯垢染色材において、歯垢染色材を口腔内に入れる工程、歯垢染色材を口腔内で保持する工程、歯垢染色材を飲み込む工程、口腔内を観察する工程を含む歯垢染色方法に用いる歯垢染色材である。
本発明は、歯垢を染色する方法に用いる歯垢染色材において、歯垢染色材を口腔内に入れる工程、歯垢染色材を口腔内で保持する工程、歯垢染色材を飲み込む工程、口腔内を観察する工程、口腔内を歯刷子で磨く工程を含む歯垢染色方法に用いる歯垢染色材である。
【発明の効果】
【００１２】  染め出し液を口腔内から出す必要が無く、口腔外を汚すことが無く、歯垢や歯石を染色することができる。床や洗面所などを汚すこともなくなった。
幼児などの染色が難しかった方々に容易に染色することができる。吐き出す必要が無いので染色材が飛び散り、衣服等を汚すことも無くなった。
本発明の歯垢染色材は食品として食する事ができる。
【発明を実施するための最良の形態】
【００１３】  糖アルコールとは、ソルビトール、キシリトール、マルチトール（還元麦芽糖）、パラチニット（還元パラチノース）、ラクチトール（還元乳糖）、還元水あめ、エリスリトール、マンニトール、キシロビイトールなどである。
染色成分とは、食品添加物に用いられる食用色素であれば何でも良いが、好ましくは、食用赤色では２号、３号、１０２号、１０４号、１０５号、１０６号、食用黄色では、４号、５号、食用緑色では３号、食用青色では、１号、２号である。
更に、食用赤色では３号、１０４号、１０５号、１０６号、食用緑色では３号、食用青色では、１号、２号であることが好ましく、また更に食用赤色では１０４号食用青色では２号であることが好ましい。
染色成分の配合量は、適宜染色成分により、配合することが好ましい。【００１４】歯垢染色材への配合成分としては、香料や味覚量、着色料、増粘材、乳化剤、酸味料、ゲル化材などを用いることができる。また、濃縮ヨーグルトや澱粉、濃縮いちご果汁パウダー、乳酸菌、ゼラチン、乳糖を配合しても良い。
歯垢染色材が飴、ガム、タブレット、グミ、ゼラチン菓子、砂糖菓子であることが好ましい。
ビフィズス菌、乳酸菌が含まれていることが好ましい。
カルシウム成分やカリウム成分が含まれていることが好ましい。
ビフィズス菌とカルシウム成分が含まれていることが好ましい。【００１５】  歯垢染色方法において歯垢染色材を口腔内に入れる工程とは、歯垢染色材を口腔内に運ぶ手段であれば何でも良く、歯垢染色材を手で口腔内に入れても良く、ピンセットで入れても良い。また、歯垢染色材がゼリーなどの場合はチューブや容器から直接口腔内に運ぶことが好ましい。また、個包装になっている場合は更に好ましい。
歯垢染色方法において歯垢染色材を口腔内で保持する工程とは、この工程は口腔内に歯垢染色材を滞在させて、歯垢を染色させる工程であり、歯質表面に染色材が馴染めば特に問題ない。好ましくは口腔内に広がる様に口腔内で材料を動かすことが好ましい。通常の様に食すれば、よいものが好ましい。
更に、染色効果を高める為に、歯牙の舌側面と頬側面に歯垢染色材を動かすことが好ましい。【００１６】歯垢染色方法においての歯垢染色材を飲み込む工程とは、食する工程であり歯垢染色材を口腔外に出すことなく飲み込む工程である。引き続き、うがいなどを行い、口腔外に出してもよい。
染色をした後に、歯刷子でブラッシングすることは好ましい。
歯垢染色方法においての口腔内を観察する工程とは、口腔内の歯垢やその染まり具合を観察する工程である。鏡を使用することが好ましい。
口腔内を観察する工程の前後に歯刷子でブラッシングする工程が含まれることが好ましい。
【実施例】
【００１７】（ゼリー状歯垢染色材）【００１８】
【表２】
2005323974.tif 000002
【００１９】上記の成分を下記方法で作成した。
１．いちごはフォークの背などでつぶしてレモン汁を加る。
２．鍋に水、粉寒天を入れて火にかけ、かき混ぜながら煮溶かす。沸騰させ、砂糖と食用赤色１０４号を加え溶かす。
３．火を止め、１．を加え混ぜ、手早く型に流し入れ、固める。【００２０】（飴状歯垢染色材）
配合表【００２１】
【表２】
2005323974.tif 000003
【００２２】１．耐熱容器に砂糖と食用青色２号、水を入れよく混ぜる（水飴を加えると固まりやすくる）。
２．電子レンジまたは火にかけ加熱します。色が少し変わり始めたところで火から外す。
３．ぬき型とアルミホイルに予めサラダオイルをぬっておき受け皿にアルミホイルとぬき型を置く。
４．ぬき型の中にゆっくりと飴を流し込む。
５．少し冷えて固まってきたら型をはずす。
６．飴が固まったら完成。【００２３】（染色テスト及び効果）
上述に従い、ゼリー状歯垢染色材と飴状歯垢染色材を完成させ、同様に食用赤色１０４号及び食用青色２号をを除いたゼリー状材と飴状材を完成させ食べ比べた。結果、ゼリー状歯垢染色材と飴状歯垢染色材は歯垢を染色した。
結果、染色材の飛び散りや衣服等を汚すことも無く、歯垢染色することができ、容易に歯垢を取り除くことができた。【００２４】（マルチトールを使用したゼリー状歯垢染色材）【００２５】配合表
【表３】
2005323974.tif 000004
【００２６】上記の成分を下記方法で作成した。
１．いちごはフォークの背などでつぶしてレモン汁を加る。
２．鍋に水、粉寒天を入れて火にかけ、かき混ぜながら煮溶かす。沸騰させ、マルチトールと食用赤色１０４号を加え溶かす。
３．火を止め、１．を加え混ぜ、手早く型に流し入れ、固める。【００２７】（染色テスト及び効果）
上述に従い、ゼリー状歯垢染色材を完成させ、歯垢染色材を口腔内に入れる工程、歯垢染色材を口腔内で保持する工程、歯垢染色材を飲み込む工程、口腔内を観察する工程、口腔内を歯刷子で磨く工程を行った。
結果、染色材の飛び散りや衣服等を汚すことも無く、歯垢染色することができ、容易に歯垢を取り除くことができた。